(57)【要約】【課題】  連絡を取りたい相手の車両を直接指定し、その相手に通話やメッセージを送ることができる車両間情報通信システムを提供する。【解決手段】  グループ化された各車両の情報はグループリスト４５として通信センタ４１にグループ登録され、サーバ４２に記憶される。グループ登録された車両４４のそれぞれの位置情報は通信ネットワーク４３を介して通信センタに送信される。そして、通信センタからグループ登録された車両４４のすべての位置情報が送られ、ナビゲーション装置の表示画面に表示される。ナビゲーション装置の画面に表示された車両をタッチパネルによって選択すると、選択した車両と通話またはメッセージの送信をすることができる。【選択図】図３
2005286557.tif 000002
【特許請求の範囲】
【請求項１】
車両間情報通信システムであって、
車両に搭載されたナビゲーション装置と、
前記ナビゲーション装置と無線回線を通じて接続するサーバとを備え、
前記サーバは、
前記車両とは異なる複数の他車に搭載されたナビゲーション装置より他車位置情報を取得する第１の他車位置情報取得手段と、
前記取得した複数の他車の他車位置情報を前記車両のナビゲーション装置へ送信する他車位置情報送信手段とを備え、
前記車両のナビゲーション装置は、
前記サーバから送信されてくる前記複数の他車の他車位置情報を取得する第２の他車位置情報取得手段と、
前記取得した他車位置情報に基づき、道路地図とともに前記複数の他車に関する表示を表示装置に行う表示手段と、
前記表示装置に表示された複数の他車に関する表示のうち少なくとも１以上の他車を指定する指定手段と、
前記指定手段により指定された他車と前記サーバを介して所定の情報の送受信を行う通信手段とを備えることを特徴とする車両間情報通信システム。
【請求項２】
請求項１に記載された車両間情報通信システムにおいて、
前記指定手段は、前記表示手段により表示した他車に関する表示を、タッチパネルを用いて指定する指定手段であることを特徴とする車両間情報通信システム。
【請求項３】
前記指定手段は、前記１以上の他車を指定することに代えて同報送信を指定し、
前記情報送信手段は、前記指定手段により同報送信が指定されると、
前記情報手段によって記憶されたグループの情報に基づいて、該グループ全メンバーの他車へ情報を送信することを特徴とする請求項１または２に記載された車両間情報通信システム。
【請求項４】
請求項１乃至３のいずれかに記載された車両間情報通信システムにおいて、
前記サーバは、前記通信手段によって情報の送受信をする車両のグループの情報を記憶させる記憶手段と、
前記記憶手段によって記憶されたグループの情報に基づいて前記指定手段で指定された他車へ情報を送信する情報送信手段をさらに備えることを特徴とする車両間情報通信システム。
【請求項５】
請求項１乃至４のいずれかに記載された車両間情報通信システムにおいて、
前記情報は、音声データまたは文字データであることを特徴とする車両間情報通信システム。
【請求項６】
請求項１乃至５のいずれかに記載された車両間情報通信システムに用いられるナビゲーション装置。
【発明の詳細な説明】
【技術分野】
【０００１】
本発明は、複数車両間の通話やメッセージの送信を簡単にする車両間情報通信システムに関する。
【背景技術】
【０００２】
目的地までグループで走行する複数台の車両の位置を表示し、また他の車両に搭載された携帯電話に車両の位置情報を送信したり、他の車両に搭載されたカーナビゲーション装置にメッセージ情報を送る通信機能付きカーナビゲーション装置を用いた車両間情報通信システムが知られている。（特開２００４−０４６５７１号公報）。
【特許文献１】特開２００４−０４６５７１号公報
【発明の開示】
【発明が解決しようとする課題】
【０００３】
特開２００４−０４６５７１号公報の車両間情報通信システムでは、グループ内で自車以外の全ての他の車両に対して一律に位置情報やメッセージを送ることができるだけで、選択した個人にまたは選択した複数人にメッセージを送ることはできない。よって、ナビゲーション装置に表示された車両の中から好きな相手を選んで会話やメッセージ情報を送ることができないという問題点があった。
【課題を解決するための手段】
【０００４】
請求項１の発明は車両間情報通信システムに適用され、車両間情報通信システムであって、車両に搭載されたナビゲーション装置と、前記ナビゲーション装置と無線回線を通じて接続するサーバとを備え、前記サーバは、前記車両とは異なる複数の他車に搭載されたナビゲーション装置より他車位置情報を取得する第１の他車位置情報取得手段と、前記取得した複数の他車の他車位置情報を前記車両のナビゲーション装置へ送信する他車位置情報送信手段とを備え、前記車両のナビゲーション装置は、前記サーバから送信されてくる前記複数の他車の他車位置情報を取得する第２の他車位置情報取得手段と、前記取得した他車位置情報に基づき、道路地図とともに前記複数の他車に関する表示を表示装置に行う表示手段と、前記表示装置に表示された複数の他車に関する表示のうち少なくとも１以上の他車を指定する指定手段と、前記指定手段により指定された他車と前記サーバを介して所定の情報の送受信を行う通信手段とを備えることを特徴とする。
請求項２の発明は車両間情報通信システムに適用され、請求項１に記載された車両間情報通信システムにおいて、前記指定手段は、前記表示手段により表示した他車に関する表示を、タッチパネルを用いて指定する指定手段であることを特徴とする。
請求項３の発明は車両間情報通信システムに適用され、前記指定手段は、前記１以上の他車を指定することに代えて同報送信を指定し、前記情報送信手段は、前記指定手段により同報送信が指定されると、前記情報手段によって記憶されたグループの情報に基づいて、該グループ全メンバーの他車へ情報を送信することを特徴とする。
請求項４の発明は車両間情報通信システムに適用され、請求項１乃至３のいずれかに記載された車両間情報通信システムにおいて、前記サーバは、前記通信手段によって情報の送受信をする車両のグループの情報を記憶させる記憶手段と、前記記憶手段によって記憶されたグループの情報に基づいて前記指定手段で指定された他車へ情報を送信する情報送信手段をさらに備えることを特徴とする。
請求項５の発明は車両間情報通信システムに適用され、請求項１乃至４のいずれかに記載された車両間情報通信システムにおいて、前記情報は、音声データまたは文字データであることを特徴とする。
請求項６の発明はナビゲーション装置に適用され、  請求項１乃至５のいずれかに記載された車両間情報通信システムに用いられる。
【発明の効果】
【０００５】
本発明によれば、連絡を取りたい相手の車両を画面上で直接指定することによって通話やメッセージの送信ができるので、車両間の通話やメッセージ送信を行う操作が非常に簡単になる。また、指定した複数の車両に対して同時に通話やメッセージ送信を行うことができる。
【発明を実施するための最良の形態】
【０００６】
本発明の実施形態における車両間情報通信システムに用いるナビゲーション装置の構成を図１に示す。図１のナビゲーション装置１は地図表示などの通常のナビゲーション機能に加えて、通信部２１に携帯電話２２を接続することにより通信センタと情報の送受信をすることができる。ナビゲーション装置１は、制御回路１１、ＲＯＭ１２、ＲＡＭ１３、現在地検出部１４、画面メモリ１５、出力部１６、入力部１７、ＶＩＣＳ（道路交通情報システム）情報受信部１８、ディスクドライブ１９および通信部２１を有している。通信部２１は携帯電話２２と接続している。ディスクドライブ１９には、地図データが記憶されたＤＶＤ−ＲＯＭ２０が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ２０に記憶された地図データに基づいて所定の経路探索処理を行うと、その処理結果が推奨経路として出力部１６の画像モニタに表示される。
【０００８】
現在地検出部１４は車両の現在地を検出する装置であり、たとえば、車両の進行方位を検出する方位センサ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃ等からなる。ナビゲーション装置１は、この現在地検出部１４により検出された車両の現在地に基づいて、地図の表示範囲や経路探索開始点などを決定するとともに、地図上にその現在地を表示する。
【０００９】
画像メモリ１５は、出力部１６の表示モニタに表示するための画像データを格納する。この画像データは道路地図描画用データや各種の図形データからなり、それらはディスクドライブ１９によって読み込まれるＤＶＤ−ＲＯＭ２０に記憶された地図データに基づいて、適宜生成される。ナビゲーション装置１は、このようにして生成された画像データを用いることによって地図表示など行うことができる。
【００１０】
出力部１６は表示モニタとスピーカを備える。表示モニタは、地図データなどの各種情報に基づいて、自車位置付近の地図などの各種情報を画面表示として運転者に提供する。スピーカは、地図データなどの各種情報に基づいて、自車位置付近の地図などの各種情報を音声により運転者に提供する。また、携帯電話２２が受信した音声データをスピーカで聞くこともでき、携帯電話２２が受信した文字データを表示モニタで見ることもできる。
【００１１】
入力部１７は、運転者の言葉を検知する音声入力部および車両の目的地を運転者が設定するための入力スイッチを有し、これはマイクロフォン、操作パネルや表示画面上のタッチパネル、リモコンなどによって実現される。運転者は、出力部１６の表示モニタの表示画面の指示または、出力部１６のスピーカからの音声の指示に従って入力部１７を手動や音声で操作することにより、目的地を選択して目的地を設定する。また、マイクロフォンに向かって話すことによって携帯電話２２から音声データを送信することができる。また操作パネル、タッチパネルやリモコンなどを用いて文字を入力することによって携帯電話２２を通じて文字データを送信することができる。
【００１２】
目的地が運転者により設定されると、ナビゲーション装置１はＧＰＳセンサ１４ｃにより検出された現在地を出発地として目的地までの経路演算を所定のアルゴリズムに基づいて行う。このようにして求められたルート（以下探索ルートという）は、表示形態、たとえば表示色などを変えることによって、ほかの道路とは区別して画面表示される。これにより、運転者は地図上の探索ルートを画面上で認識することができる。また、ナビゲーション装置１は、探索ルートに従って車両が走行できるように、運転者に対して画面や音声などによる進行方向指示を行い、車両を誘導する。
【００１３】
ＶＩＣＳ情報受信部１８は、図示しないＶＩＣＳ情報センタから供給される渋滞情報などのＶＩＣＳ情報を受信し、制御回路１１に出力する。このＶＩＣＳ情報は主に高速道路上に設置されている電波ビーコンや、主に一般道路上に設置されている光ビーコン、またはＦＭ多重放送によって送信される。
【００１４】
ディスクドライブ１９は、表示モニタ１６へ地図を表示するための地図データを装填されたＤＶＤ−ＲＯＭ２０より読み出す。なお、ＤＶＤ−ＲＯＭ以外の他の記録メディア、たとえばＣＤ−ＲＯＭやハードディスクなどより地図データを読み出すことをしてもよい。通信部２１は、携帯電話２２を介して通信センタからの情報を受信したり、また、逆に通信センタに情報を送信する機能を有する。
【００１５】
図２に示すナビゲーション装置の表示モニタのモニタ画面を参照して、本願発明の車両間情報通信システムで連絡を取りたい相手の車両を表示して、いかにしてその車両を指定するか説明する。図２のモニタ画面には地図画面上に表示した自車両の位置３１のほか、自車以外でグループ登録した車両３２、３３、３４、３５が表示される。このモニタ画面はタッチパネルになっており、表示画面を触れることによって画面上に表示されているメニューを選択したり、表示されている車両を指定することができる。画面表示は通話やメッセージを送信できる対象を選択しやすくするため、画面上の指定可能な対象を強調表示するなど目立たせる処理を行う。加えて、画面に触れて操作対象を選択する場合には、強調表示されたものだけの操作を受け付けることで、選択ミスや誤操作を防ぐことができる。また、自車以外でグループ登録した車両３２〜３５にはそれぞれの車両を特定できるように「１．○○○」などのメンバーの名前も一緒に表示される。
【００１６】
次に、図３を用いて他の車両をナビゲーション装置のモニタ画面に表示させるためのシステムについて説明する。グループ登録するメンバーのひとり（ホストユーザー）が通信センタ４１へ、車両間で連絡するメンバー名や電話番号、メールのアドレスなどの項目を有するグループリスト４５の登録（グループ登録）を依頼する。登録の依頼はナビゲーション装置１の通信部２１に接続した携帯電話２２を介して行ってもよいし、ナビゲーション装置１の通信部２１とは別に電話や郵便、インターネットを介して行ってもよい。そして、通信センタ４１でグループリスト４５を登録し、サーバ４２に記憶する。ここで、通信センタ４１とは、車両間で共有するサーバ４２を有し、電信電話手段によって車両に対して連絡することができるテレマティクスセンターなどの機関をいう。本発明の実施形態では、通信センタ４１は通信ネットワーク４３に接続し、通信ネットワーク４３から無線手段を用いて、ナビゲーション装置１の通信部２１に接続された携帯電話２２を介してグループ登録された車両４４と情報の送受信を行う。
【００１７】
次に、グループ登録された車両４４の各車両の位置情報は、各車両に取り付けられたナビゲーション装置１の現在地検出部１４によって検出される。そしてその位置情報は、通信部２１から通信ネットワーク４３に送信され、通信センタ４１のサーバ４２に送られる。送られた車両４４の各車両の位置情報は通信センタ４１のサーバ４２から通信ネットワーク４３を通じて、グループ登録された車両４４の各車両に送信される。そして各車両の位置情報は携帯電話２２で受信され、グループ登録された車両４４の各車両の位置はナビゲーション装置の地図表示画面に表示される。
【００１８】
次に、図３を用いて車両間で行う通話やメッセージの送信のシステムの構成について説明する。車両間で行う通話やメッセージの送受信は通信センタ４１を介して行う。まずナビゲーション装置の入力部１７から取り入れられた音声や文字などの情報は、制御回路１１で音声データや文字データに変換され、通信部２１に接続された携帯電話２２を通じて通信センタ４１へ送信される。そして、通信センタ４１ではサーバ４２に記憶されているグループリストの情報を照合し、送信する相手に音声データや文字データを転送する。このようにすることによって通話やメッセージの送信したい相手に通話やメッセージの送信をすることができる。携帯電話のハンズフリー機能を使用した場合、三者通話機能を利用しても３人までしか一緒に会話することができないが、通信センタ４１を介して行えば、一度に複数の車両に音声データの転送が可能なので、それ以上の人数と一緒に会話をすることができる。通信センタ４１との送受信はナビゲーション装置の通信部２１に接続された携帯電話２２のデータ通信機能を用いるが、ナビゲーション装置の通信部２１に無線電波の送受信機能を持たせ通信センタ４１と送受信してもよい。
【００１９】
次に図４において本発明の車両間情報通信システムの車両間の通話操作について説明する。グループ登録してある車両を図２に示すようにナビゲーション装置のモニタ画面の地図画面上に表示する（ステップＳ１１）。自車両の位置から離れていて地図画面上に表示できない場合は、図５に示すようなグループ登録したメンバーのリストを画面上に表示する。登録したメンバーのリストは自車両の位置を表示した地図とともに分割画面で表示される。リストにはメンバーの番号と名前が表示される。また、自車両以外の車両を一括して指定するときに便利なように同報送信のボタンも表示される。
【００２０】
地図画面上に表示された、自分が通話をしたいメンバーの車両を、タッチパネルを用いて指定する（ステップＳ１２）。グループ登録したメンバーのリストを表示（図５）した場合は、リスト上の通話をしたいメンバー名を触れることによって指定する。複数の車両を指定したいときは指定した車両の確認のメッセージが表示される（ステップＳ１３）前に複数の車両に触れる。自車両以外のグループ登録された車両へ一括して指定する場合（同報送信する場合）は、図５に示すモニタ画面に表示された同報送信のボタンに触れる。指定した車両の確認のメッセージが、文字または音声によって表示される（ステップＳ１３）。指定した車両で良ければステップＳ１４へ進む。また、違う車両を指定したい場合はステップＳ１２へ戻りまた車両の指定をする。
【００２１】
次に文字または音声によってナビゲーション装置が「通話」か「メッセージ送信」のどちらを選択するか問い合わせをする。会話によって連絡をしたい場合は、「通話」を選択する（ステップＳ１４）。そして、指定されたメンバーを特定する情報が通信センタ４１へ送信され、通信センタ４１を介して指定した車両と通話を開始することができる（ステップＳ１５）。わざわざ電話帳を開いて通話したい相手の電話番号を調べる必要はなく、直接地図画面上で指定できるので、簡単な操作で希望の相手と通話することができる。
【００２２】
次に図６において本発明の車両間のメッセージ送信について説明する。グループ登録してある車両を図２に示すようにナビゲーション装置のモニタ画面の地図画面上に表示する（ステップＳ２１）。離れていて地図画面上に表示できない場合は、図５に示すようにグループ登録した車両のリストを表示する。メッセージを送信したいメンバーの車両を画面のタッチパネルを用いて指定する（ステップＳ２２）。グループ登録した車両のリストを表示（図５）した場合はリスト上の通話をしたいメンバー名を触れることによって指定する。複数の車両を指定するときは指定した車両の確認のメッセージが表示される（ステップＳ２３）前に複数の車両に触れる。また、自車両以外のグループ登録された車両へ一括して指定する場合（同報送信する場合）は、図５に示すモニタ画面に表示された同報送信のボタンに触れる。
【００２３】
文字または音声によって指定した車両の確認のメッセージが表示される（ステップＳ２３）。タッチパネルで指定した車両で良ければステップＳ２４へ進む。また、違う車両を指定したい場合はステップＳ２２へ戻り車両を指定する。次に文字または音声によってナビゲーション装置が「通話」か「メッセージ送信」のどちらを選択するか問い合わせをする。メッセージを送信する場合は、「メッセージ送信」を選択する（ステップＳ２４）。
【００２４】
次に予め準備された、送信するメッセージの選択画面が表示される（ステップＳ２５）。例えば、図７に示すにメッセージのリストが画面に表示される。メッセージのリストは自車両の位置を表示した地図とともに分割画面で表示される。送信したいメッセージをタッチパネルで指定する（ステップＳ２６）。そして、このメッセージでよいか確認のメッセージが文字または音声によって表示される（ステップＳ２７）。タッチパネルで指定したメッセージでよければ、その旨をタッチパネルか音声により入力することにより、指定したメッセージが自動的に送信される（ステップＳ２８）。指定したメッセージではいけない場合はステップＳ２６に戻り、再びメッセージの指定をやり直す。わざわざアドレス帳を開いてメッセージを送りたい相手のアドレスを調べる必要はなく、直接地図上の画面で指定することができ、またメッセージも直接表示画面で指定するので簡単な操作で希望の相手へメールを送ることができる。
【００２５】
次に図８で、通話やメッセージ送信における図４または図６のメンバーと通信センタ４１とサーバ４２との間のやり取りについて説明する。まず、グループ登録されたメンバーの中でメンバーＡがメンバーＢを指定してメッセージを送信する場合を例に示し説明する。メンバーＡがナビゲーション装置に表示されたメンバーＢをタッチパネルで指定するとメンバーＡの車両に搭載されているナビゲーション装置から通信センタ４１へ送信先情報取得要求が送信される（ステップＳ３１）。次に通信センタ４１で、サーバ４２のリスト検索が行われる（ステップＳ３２）。そして送信先情報が参照され（ステップＳ３３）、通信センタ４１からメンバーＡへ送信先情報通知が通知される（ステップＳ３４）。これにより通信センタ４１ではメッセージを受け付ける準備ができたことを連絡する。
【００２６】
次にメンバーＡはナビゲーション装置のモニタ画面に表示されたメッセージを選択し、メッセージを通信センタ４１へ送信する（ステップＳ３５）。そして通信センタ４１はメンバーＢに対してメッセージを配信する（ステップＳ３６）。メッセージをメンバーＢが受信すると着信通知が通信センタに通知される（ステップＳ３７）。そして、通信センタ４１からメンバーＡへ配信完了通知が通知され（ステップＳ３８）、メッセージの送信が完了したことが伝えられる。なお、本実施形態ではメンバーＡはメンバーＢ一人を指定したが、複数人のメンバーを指定してもよい。
【００２７】
次に、図９でグループ登録されたメンバーの中でメンバーＡがグループ登録された他のメンバーへメッセージを同報送信する場合を例に示し説明する。グループ登録されたメンバーでメンバーＡ以外の残りのメンバーをメンバーＢ、メンバーＣとする。メンバーＡがナビゲーション装置にモニタ画面に表示された同報送信のボタンをタッチパネルで指定する（図５）とメンバーＡの車両に搭載されているナビゲーション装置から通信センタ４１へメッセージ同報要求が送信される（ステップＳ４１）。次に通信センタからメンバーＡの車両に搭載されているナビゲーション装置へメッセージ送信要求が送信される（ステップＳ４２）。これにより通信センタ４１ではメッセージを受け付ける準備ができたことを連絡する。
【００２８】
次にメンバーＡはナビゲーション装置のモニタ画面に表示されたメッセージを選択し、メッセージを通信センタ４１へ送信する（ステップＳ４３）。メッセージを受信した通信センタ４１はメッセージを同報送信するメンバーＢとメンバーＣのアドレスを検索する。アドレスの検索はサーバ４２に対して同報アドレス要求をすることによって行う（ステップＳ４４）。そして、サーバ４２においてグループリストの検索がなされ（ステップＳ４５）、グループ登録されたメンバーで、メンバーＡ以外の登録メンバーであるメンバーＢとメンバーＣのアドレスが見つかる。そして検索されサーバ４２より通知された同報アドレス（ステップＳ４６）によりメンバーＢとメンバーＣへメッセージが配信される（ステップＳ４７、Ｓ４８）。また、確認のため、メンバーＡにもメッセージが配信される（ステップＳ４９）。
【００２９】
本発明の実施形態では、グループ登録をするメンバーのひとり（ホストユーザー）が一括して通信センタ４１へグループ登録をしていたが、グループの各メンバーが各自グループ登録をすることもできる。グループの各メンバーによるグループ登録を図１０、図１１で説明する。
【００３０】
まず、ホストユーザーがグループ登録をする。ホストユーザーのグループ登録を図１０を用いて説明する。ホストユーザーはグループリストを作成するためにグループリスト生成要求をする（ステップＳ５１）。次に通信センタ４１はサーバ４２にグループリストの登録をする（ステップＳ５２）。このグループリストは図３のグループリスト４５において、ホストユーザーのデータしか記憶されていないものである。そして通信センタ４１はホストユーザーに対してパスワードの設定要求をする（ステップＳ５３）。ホストユーザーはパスワードを設定し（ステップＳ５４）、設定したパスワードはサーバ４２に設定され（ステップＳ５５）記憶される。そして通信センタ４１からホストユーザーに対してパスワードの設定完了通知が通知される（ステップＳ３６）。
【００３１】
次にホストユーザー以外のグループのメンバー（ゲストユーザー）のグループ登録を説明する。ホストユーザー以外のグループ登録を図１１に説明する。ゲストユーザーは通信センタ４１へパスワードを送信する（ステップＳ６１）。パスワードは、ホストユーザーからゲストユーザーへ予め知らされている。通信センタ４１はパスワードを照合し（ステップＳ６３）、パスワードが確認できたらゲストユーザーに対してグループリストに登録する情報設定の要求をする（ステップＳ６３）。ゲストユーザーは通信センタ４１にグループ登録する情報を送信する（ステップＳ３４）。通信センタ４１送られた情報はサーバ４２に情報登録され、ホストユーザーが登録したグループリストに追記される（ステップＳ６５）。そして、通信センタ４２からゲストユーザーに対して登録完了通知が通知される（ステップＳ６６）。他のゲストユーザーも同様にホストユーザーの登録したグループリストに追記していくことによってグループリスト４５は完成する。
【００３２】
このように各ゲストユーザーがグループ登録をすることができることによって、登録したグループのメンバーを簡単に増やすことができる。また、パスワードを設定することにより、グループのメンバーはサーバ４２に記憶されているグループリスト４５にアクセスすることができるのでグループリストの変更や修正が容易にできるという利点がある。
【００３３】
本発明は車両間情報通信システムは車両間の連絡のみならず、車両から地図画面上に表示された施設への連絡にも使用することができる。例えば、図２において地図画面上にレストラン３６が表示されている。地図上のレストラン３６に触れれば通話またはメッセージの送信ができる。例えば地図上の表示されている施設に問い合わせをしたり予約する際、便利である。
【００３４】
本発明の実施形態では、通信センタ４１を介して音声通話やメッセージ送信する例を示したが、必ずしもこの内容に限定する必要はない。例えば、画面上でメンバーが指定されたとき、指定されたメンバーの電話番号で通信センタ４１を介せず、携帯電話に直接電話させるようにしてもよい。この場合は、各メンバーの電話番号が記載されたグループリストを、ナビゲーション装置側でも保有するようにすればよい。このようにしても、特定のメンバーと簡単な操作で通話をすることができる。
【００３５】
特許請求の範囲と実施形態の対応を説明する。
請求項１における「第１の他車位置情報取得手段」とはグループ４４の各車両のナビゲーション装置による車両の位置検出に相当する。「他車位置情報送信手段」とはグループ４４の各車両からサーバ４２への位置情報伝達に相当する。「第２の他車位置情報取得手段」とはサーバ４２からグループ４４の車両への位置情報伝達に相当する。「表示手段」とは、出力部１６への表示に相当する。「指定手段」とは、入力部１７による他車指定に相当する。「通信手段」とは通信部２１を介したグループ４４の車両とサーバ間の通信に相当する。請求項４の「記憶手段」とはサーバ４２によるグループリスト４５の記憶に相当する。「情報送信手段」とはサーバ４２からグループ４４の車両への情報伝達に相当する。
【図面の簡単な説明】
【００３６】
【図１】本発明によるナビゲーション装置の一実施の形態のブロック図である。
【図２】本発明によるナビゲーション装置のグループ登録された車両の表示画面である。
【図３】グループ登録した車両をナビゲーション装置に表示させるためのシステムを示す図である。
【図４】本発明によるナビゲーション装置によって他の車両との通話の操作を示すフローチャートである。
【図５】本発明によるナビゲーション装置のグループ登録された車両のリスト表示画面である。
【図６】本発明によるナビゲーション装置によって他の車両とのメッセージの送信の操作を示すフローチャートである。
【図７】本発明によるナビゲーション装置によって他の車両とのメッセージ送信をする際のメッセージ選択画面である。
【図８】本発明によるナビゲーション装置おいて、送信する車両を指定した場合の登録されたグループの２人のメンバーと通信センタとサーバの間のやり取りを示すブロック図である。
【図９】本発明において、同報送信における登録されたグループの３人のメンバーと通信センタとサーバの間のやり取りを示すブロック図である。
【図１０】本発明において、ホストユーザーがグループ登録するときの、ホストユーザーと通信センタとサーバの間のやり取りを示すブロック図である。
【図１１】本発明において、ゲストユーザーがグループ登録をするときの、ゲストユーザーと通信センタとサーバとの間のやり取りを示すブロック図である。
【符号の説明】
【００３７】
１    ナビゲーション装置
１１  制御回路
１２  ＲＯＭ
１３  ＲＡＭ
１４  現在位置検出部
１５  画面メモリ
１６  出力部
１７  入力部
１８  ＶＩＣＳ情報受信部
１９  ディスクドライブ
２０  ＤＶＤ−ＲＯＭ
２１  通信部
２２  携帯電話
３１  自車両
３２、３３、３４、３５  グループ登録された車両
３６  レストラン
４１  通信センタ
４２  サーバ
４３  通信ネットワーク
４４  グループ登録された車両
４５  グループ登録
【図１】
2005286557.tif 000003
【図２】
2005286557.tif 000004
【図３】
2005286557.tif 000005
【図４】
2005286557.tif 000006
【図５】
2005286557.tif 000007
【図６】
2005286557.tif 000008
【図７】
2005286557.tif 000009
【図８】
2005286557.tif 000010
【図９】
2005286557.tif 000011
【図１０】
2005286557.tif 000012
【図１１】
2005286557.tif 000013